(57)【要約】【課題】ベランダや上層階を大きな張り出し長さで設けるとともに、この張り出し部の下に大きな開口を設けても、開口上のたわみを小さく抑制する。【解決手段】木製のラーメン柱３と木製のラーメン梁４とを曲げモーメントの伝達が可能に接合した門型のラーメン枠１０，２０を、ラーメン梁が互いに平行となるように設置する。ラーメン梁は、上下に間隔を開けて平行に架け渡された上梁１１と下梁１２とを含むものであって、上梁の側面から下梁の側面にわたって連続した板材１３が固着されたものとする。２基のラーメン枠の内の第２のラーメン枠２０の上梁と下梁との間に、複数の張り出し梁１５の一端を差し入れ、第１のラーメン枠１０の上梁と下梁との間を通過して、第２のラーメン枠と反対側に張り出し梁を突き出す。これらの張り出し梁の上にベランダ又は上層階の床を形成する。ラーメン枠は、２つの軸柱１の間に設置し、ラーメン柱３を軸柱１に当接させる。【選択図】図１
2008255711.tif 000002
【特許請求の範囲】
【請求項１】
木製のラーメン柱と木製のラーメン梁とを曲げモーメントの伝達が可能に接合した門型のラーメン枠を２基備え、
これらのラーメン枠は、前記ラーメン梁が互いに平行となるように設置され、
前記ラーメン梁は、上下に間隔を開けて平行に架け渡された上梁と下梁とを含むものであって、該上梁の側面から前記下梁の側面にわたって連続した板材が固着されたものであり、
２基の前記ラーメン枠の内の第２のラーメン枠の前記上梁と前記下梁との間に一端が差し入れられ、第１のラーメン枠の前記上梁と前記下梁との間を通過して、第２のラーメン枠と反対側に突き出した複数の張り出し梁を有することを特徴とする木造建築物。
【請求項２】
断面の形状がほぼ正方形である複数の軸柱を有し、
前記ラーメン枠の２つのラーメン柱の外側面が、隣り合って立設された２つの前記軸柱の側面と対向し、該側面に当接されていることを特徴とする請求項１に記載の木造建築物。
【請求項３】
前記板材が、前記上梁と前記下梁と前記ラーメン柱と前記軸柱とにわたって連続して固着されていることを特徴とする請求項２に記載の木造建築物。
【請求項４】
前記ラーメン柱及び前記ラーメン梁の断面形状は、該ラーメン枠の軸線が含まれる面と平行な辺の寸法が、該ラーメン枠の軸線を含む面と直角となる方向の辺より長い、扁平な形状であることを特徴とする請求項１、請求項２又は請求項３に記載の木造建築物。
【発明の詳細な説明】
【技術分野】
【０００１】
本願発明は、木材を用いて構造躯体を形成した木造建築物に係り、特に外壁面からベランダ等が張り出すように設けられた木造建築物、又は上層階が下層階より張り出して設けられた木造建築物に関するものである。
【背景技術】
【０００２】
木造建築物では、断面形状がほぼ正方形となった柱と複数の柱間に架け渡された梁、胴差等の横架材とで構造躯体が形成された、いわゆる軸組構造が多く採用されている。このような構造でも、外壁面から張り出すようにベランダを設けたり、下層階より上層階が張り出すように設けることが要求されることがある。
【０００３】
一般に、庇や出窓等の張り出し長さが小さくて作用する荷重も小さい構造では、特許文献１に記載されているように壁面に張り出し部材をボルトで固定することによって支持することができる。しかし、ベランダや上層階を片持状に張り出して設ける場合には、張り出し部分に大きな荷重が載荷されることになり、図８に示すような構造を採用することになる。
【０００４】
この構造は、外壁面が設けられる位置に立設した柱１０１上に横架材１０２を載せ掛けるように支持し、この横架材を建築物の内部から外壁面の外側に連続して張り出しすように支持する。この横架材を２本以上平行に設け、これらの先端部に外壁面と平行となるように桁１０３を架け渡す。そして、外壁面に沿って設けられた横架材１０４と上記桁１０３との間に床材を設けてベランダもしくは上層階の張り出し部分の床とするものである。このような構造では張り出し部の付け根つまり外壁面のある位置で張り出して設けられた横架材１０２に大きな曲げモーメントが生じるとともに、大きな鉛直方向の反力が作用する。このため横架材１０２を柱１０１で支持するとともに、横架材の曲げ剛性によって曲げモーメントに抵抗する構造となる。
【特許文献１】特開２００３−９６９０２号公報
【発明の開示】
【発明が解決しようとする課題】
【０００５】
上記のような構造では、ベランダや上層階の張り出し長さが大きくなると、張り出して設けられた横架材の曲げモーメントが過大となり易い。このため、横架材を狭い間隔で複数本並べて配置する必要が生じる。そして、これらの横架材のそれぞれを外壁面の位置で支持するためには、ベランダ等の張り出し部分の下に多くの柱を並べて立設することになる。しかし、建築物の下層階は、店舗や車庫として用いる場合には大きな開口が必要となり、上記のように多くの柱をベランダ等の張り出し部の下側に立設することはできない。張り出すように設けられた横架材１０２を、図９に示すように、外壁に沿って柱間に支持された横架材１０５で支持することも考えられるが、ベランダ等の張り出し長さが大きくなると、外壁面に沿った横架材１０５に作用する鉛直方向の荷重は極めて大きくなり、大きなたわみが生じてしまう。また、クリープ変形も大きくなって、建具等の円滑な動きを阻害することになる。
【０００６】
本発明は、上記のような事情に鑑みて成されたものであり、その目的は、ベランダや上層階を大きな張り出し長さで設けることができ、この張り出し部の下に大きな開口を設けても、開口上のたわみを小さく抑制することができる木造建築物を提供することである。
【課題を解決するための手段】
【０００７】
上記課題を解決するために、請求項１に係る発明は、  木製のラーメン柱と木製のラーメン梁とを曲げモーメントの伝達が可能に接合した門型のラーメン枠を２基備え、  これらのラーメン枠は、前記ラーメン梁が互いに平行となるように設置され、  前記ラーメン梁は、上下に間隔を開けて平行に架け渡された上梁と下梁とを含むものであって、該上梁の側面から前記下梁の側面にわたって連続した板材が固着されたものであり、  ２基の前記ラーメン枠の内の第２のラーメン枠の前記上梁と前記下梁との間に一端が差し入れられ、第１のラーメン枠の前記上梁と前記下梁との間を通過して、第２のラーメン枠と反対側に突き出した複数の張り出し梁を有する木造建築物を提供する。
【０００８】
この木造建築物では、第１のラーメン枠が設けられた壁面から張り出すように張り出し梁を設けることができ、この張り出し梁を狭い間隔で並べて複数本を配置することができる。したがって、これらの張り出し梁上にベランダ等を設けると、この部分に作用する鉛直方向の荷重に対して複数の張り出し梁で荷重が分担され、張り出し長さを大きく設定することができる。また、これらの張り出し梁の第１のラーメン枠より張り出した部分に鉛直方向のが荷重が作用したときには、第１のラーメン枠には鉛直方向下向きの力が作用し、第２のラーメン枠には揚力が作用する。鉛直方向下向きの力及び揚力はそれぞれ第１のラーメン枠の下梁及び第２のラーメン枠の上梁によって拘束される。そして、これらの鉛直方向下向きの力及び揚力によってラーメン梁に作用する曲げモーメント及びせん断力に対しては、ラーメン枠の上梁と下梁とが合板で接合されていることにより、これらが一体となったラーメン梁によって抵抗する。また、ラーメン梁はラーメン柱と曲げモーメントの伝達が可能に接合されているのでラーメン梁の両端部における曲げ変形が拘束されて小さくなる。したがって、ラーメン梁のたわみは極めて小さく抑えられる。これにより、門型となったラーメン枠の内側に大きな開口を設けることが可能になり、張り出し長さも大きく設定することができる。
【０００９】
請求項２に係る発明は、請求項１に記載の木造建築物において、  断面の形状がほぼ正方形である複数の軸柱を有し、  前記ラーメン枠の２つのラーメン柱の外側面が、隣り合って立設された２つの前記軸柱の側面と対向し、該側面に当接されているものとする。
【００１０】
この木造建築物では、ラーメン枠は二つの軸柱間に設置されており、軸柱とラーメン枠とが、ラーメン枠の上部で水平力の伝達が可能に接合されているだけでラーメン枠が軸柱及びこれに接合された横架材の変形を拘束するものとなる。したがって、軸柱に水平力が作用したときの変形に対してラーメン枠が抵抗し、耐力壁のように機能する。これによって高い耐震性を有する構造とすることができる。一方、ラーメン枠の軸線が含まれる面と直角方向に架け渡される横架材及びラーメン枠の軸線を含む面と平行な方向の横架材は、軸柱を介して接合することができ、従来から軸組構造に用いられている接合方法をそのまま使用して容易に組み立てることが可能となる。
【００１１】
請求項３に係る発明は、請求項２に記載の木造建築物において、  前記板材が、前記上梁と前記下梁と前記ラーメン柱と前記軸柱とにわたって連続して固着されているものとする。
【００１２】
上記上梁と下梁とに連続して固着された板材がラーメン柱及び軸柱の側面にも連続して固定されることにより、この板材を介してラーメン梁とラーメン柱との間の曲げモーメントが伝達される。また、軸柱もラーメン柱と一体となって挙動し、大きな水平力に抵抗できるものとなる。
【００１３】
請求項４に係る発明は、請求項１，請求項２又は請求項３に記載の木造建築物において、前記ラーメン柱及び前記ラーメン梁の断面形状は、該ラーメン枠の軸線が含まれる面と平行な辺の寸法が、該ラーメン枠の軸線を含む面と直角となる方向の辺より長い、扁平な形状とする。
【００１４】
この構造では、軸組構造で用いられる軸柱間の壁に代えてラーメン枠を用いることができ、良好な納まりで、張り出し部によるたわみを小さく抑えることができる。また、大きな耐震性を有するものとなる。
【発明の効果】
【００１５】
以上説明したように、本発明の木造建築物では、ベランダ等を外壁面より大きく張り出して設けることや、下層階の外壁面より上層階を大きく張り出して設けることができるとともに、張り出し部の下側に大きな開口を設けることができる。さらに、このように開口を設けても開口上のたわみを小さく抑えることができる。
【発明を実施するための最良の形態】
【００１６】
以下、本願発明の実施の形態を図に基づいて説明する。
図１は、本願に係る発明の一実施形態である木造建築物の構造躯体を示す概略斜視図である。
この構造躯体は、断面が１０５ｍｍ×１０５ｍｍ、又は１２０ｍｍ×１２０ｍｍのほぼ正方形となった木製の軸柱１と、軸柱間に架け渡される横架材２とで構成される、いわゆる軸組構造と、２つの木製のラーメン柱３とこれらの間に架け渡されるラーメン梁４とを門型に接合したラーメン枠１０，２０とを組み合わせて主要部が構成されている。
【００１７】
上記軸組構造は、土台（図示しない）の上に複数の軸柱１を立設し、これらの軸柱間に横架材２を架け渡して二階部分の床組を形成し、さらに二階部分の軸柱１ａを立設して屋根構造を支持するものとなっている。一階部分の軸柱１は土台上に立設される場合に限らず、基礎上に柱支持金具を固定し、この上に立設されるものであっても良い。軸柱１と横架材２との接合は、例えば軸柱１の上端面上に横架材２を載せ掛けるように設置して接合することができるし、軸柱１が一階部分から二階部分に連続した通し柱であるときには二階部分の床組を構成する横架材が柱の側面に突き当てるようにして接合される。これらの軸柱１と横架材２との接合は、接合用の金具を用いて強固に固定されるものである。この他、一方の部材にほぞ又は切り欠き部を設け、他方の部材をこのほぞ又は切り欠き部に嵌め入れる等、従来から軸組構造において用いられている構造および方法を用いることができる。
【００１８】
上記ラーメン枠１０，２０は、建築物の外壁面となる部分に第１のラーメン枠１０が設けられ、この第１のラーメン枠１０が設けられた位置から建築物の内部側へ該外壁面と直角方向に後退した位置に第２のラーメン枠２０が設けられている。第１のラーメン枠１０と第２のラーメン枠２０とは同寸法になっており、平行に配置されて対向している。これらのラーメン枠１０，２０は、いずれも２つの軸柱１−１，１−２，１−３，１−４の間に設けられており、門型となったラーメン枠の外側面が隣り合う２つの軸柱の互いに対向する側面とそれぞれ接触するように建て込まれている。
【００１９】
第１のラーメン枠１０は、図２に示すように、２つのラーメン柱３−１，３−２とこれらのラーメン柱の互いに対向する側面にそれぞれ端面を突き当てて接合された上梁１１及び下梁１２を備えるものである。また、第２のラーメン枠２０も第１のラーメン枠と同じ構成となっている。ラーメン枠の上梁１１と下梁１２とはいずれも水平に支持され、これらは間隔をあけてそれぞれ両端部が２つのラーメン柱３−１，３−２に固定されている。そして、これらの上梁１１と下梁１２とに連続するように合板１３がビス又は釘によって固着され、上梁１１と下梁１２と上記合板１３とが一体となって一つの部材つまりラーメン梁４として機能するものとなっている。さらに、この合板１３はラーメン柱３−１，３−２及びこのラーメン柱と当接して立設されている両側の軸柱１−１，１−２に連続して当接され、ビス又は釘によって固定されている。この合板１３は、ラーメン枠の軸線と平行に、接合されるラーメン柱、上梁及び下梁の一方の面に添設されるものであっても良いし、両面に添設されるものであっても良い。
【００２０】
上記ラーメン柱３−１，３−２、上梁１１及び下梁１２の断面はいずれも、これらが形成するラーメン枠の軸線を含む面と平行な辺が、ラーメン枠の軸線を含む面と直角な方向の辺より長い長方形となっている。そして、上梁１１又は下梁１２とラーメン柱３とは、図３に示すように、接合金具１４を用いて接合されている。この接合金具１４は、ラーメン柱３の側面に固定される板状の取付基部２１と、この取付基部２１の両側縁に回動軸によって接合された２つの板状の梁接合部２２ａ，２２ｂとを有するものである。取付基部２１は、複数のボルト孔（図示しない）を有し、このボルト孔からラーメン柱３及び軸柱１に設けられたボルト孔２３，２４に挿通されたボルト２５とこれに螺合されたナット（図示しない）とによってラーメン柱３の側面に固定されるものである。２つの梁接合部２２ａ，２２ｂは、上梁１１又は下梁１２の幅より小さい間隔で上記取付基部２１とほぼ直角に突き出すように設けられており、それぞれにはドリフトピン２８を挿通することができる孔２６及び上部にはドリフトピン２８を上方から係止することができる切り欠き部２７が設けられている。上梁１１又は下梁１２には、これらの側面と平行に２つのスリット２９が設けられており、これらの間隔は接合金具１４の２つの梁接合部２２ａ，２２ｂが設けられた間隔と対応しており、それぞれに梁接合部２２ａ，２２ｂが挿入される。そして、上梁１１又は下梁１２の側面から水平方向に設けられた横孔３０にドリフトピン２８が挿入され、梁接合部２２ａ，２２ｂに設けられた孔２６に挿通されて接合金具１４が上梁１１又は下梁１２と接合されている。
なお、上記接合金具１４の梁接合部２２は、取付基部２１と回動が可能に接続されており、この接合金具１４をラーメン柱３に取り付けて現場へ搬入するときには、梁接合部２２をラーメン柱３の面に沿った位置に回動しておき、取り扱いを容易にすることができるものである。
【００２１】
上記のような構造によって上梁１１及び下梁１２のそれぞれが２つのラーメン柱３−１，３−２と接合され、さらにこれらの側面に連続して合板１３が固定されている。この合板は、図４に示すように、上梁１１と下梁１２とラーメン柱３―１，３−２と軸柱１―１，１−２とのそれぞれに、例えば１２０〜１５０ｍｍ程度の間隔でビス３１をねじ込むか又は釘を打ち付けて固定されている。したがって、上梁１１と下梁１２とは強固に一体となって曲げモーメントに抵抗するものとなり、ラーメン柱３−１，３−２との間で曲げモーメントが伝達されるものとなっている。また、ラーメン柱３−１，３−２と軸柱１−１，１−２とが一体となり、一つの部材のように機能して曲げモーメントに抵抗するものとなっている。
【００２２】
上記第１のラーメン枠１０の上梁１１−１と下梁１２−１との間には、図５に示すように、複数の張り出し梁１５が差し入れられ、一端が第２のラーメン枠２０の上梁１１−２と下梁１２−２との間で上下方向の変位が拘束される。そして、これら張り出し梁１５はラーメン枠１０，２０の軸線を含む面と直角に配置され、第１のラーメン枠１０の上梁１１−１と下梁１２−１との間を通過して、外壁面から片持ち状に張り出している。これらの張り出し梁１５が第１のラーメン枠１０から張り出した先端部分には、外壁面と平行に桁１６が架け渡され（図１参照）、この上に上層階の居室の床が支持されており、上層階が下層階の外壁より張り出して設けられている。
なお、上梁１１、下梁１２及びラーメン柱３にわたって連続して固定された合板１３は、張り出し梁１５が配置される位置と対応する部分に開口１３ａが設けられており、張り出し梁１５がこれらの開口１３に挿通された状態で、上梁１１及び下梁１２に固定されている。
【００２３】
上記ラーメン枠１０，２０及びこれらのラーメン枠と一体となった軸柱１−１，１−２，１−３，１−４の下端部は、基礎５上に固定された柱支持金具４０の上に固定される。
この柱支持金具４０は、図６に示すように、鋼からなる箱状の部材であって、基礎５に当接される底板４１と、この底板４１と平行に設けられ、ラーメン柱３および軸柱１の下端面が当接される上面板４２と、上記底板４１の上方に上記上面板４２を支持する鉛直板４３と、ラーメン柱３及び軸柱１と接続するために、上面板４２上に鉛直に立設された接合板４４とを有するものである。鉛直板４３は座屈を防止するためのリブ４５を備えており、底板４１に設けられたアンカーボルト４６を挿通するための複数の孔の周辺部を避けて設けられている。また、上面板４２の上に立設された接合板４４は、その鉛直面が上記ラーメン枠１０の軸線を含む面と平行に設けられ、ドリフトピン４７を挿通するために複数の孔４８が設けられている。
【００２４】
この柱支持金具４０は、下部が基礎５に埋め込まれ上部が基礎から上方に突出したアンカーボルト４６を底板４１の孔に挿通して基礎５上に設置されるものである。そして、アンカーボルト４６に螺合されたナット４９によって基礎に強固に固定されている。一方、ラーメン柱３及び軸柱１の下端部には、ラーメン枠１０，２０の軸線を含む面と同じ方向にスリットが設けられており、このスリットに上記接合板４４が挿入され、ラーメン柱３及び軸柱１の下端面が上面板４２の上に支持されている。ラーメン柱３及び軸柱１の下端部には上記接合板４４に設けられた孔４８と対応する位置に横孔５０が設けられており、この横孔５０から上記接合板４４の孔４８にドリフトピン４７が挿入され、柱支持金具４０とラーメン柱３及び軸柱１の下端部とが接合されている。これによりラーメン柱３及び軸柱１の下端は、水平方向の変位と鉛直方向の変位とが拘束される。
【００２５】
上記ラーメン枠１０，２０の両側に当接して設けられた軸柱１−１，１−２，１−３，１−４は、図５に示すように、上端面がラーメン枠１０，２０の上面より低い位置となるように長さが設定されており、この軸柱１の上にラーメン枠の軸線を含む面と直角方向の横架材２−１，２−２が載せ掛けるように接合されている。そして、ラーメン枠１０，２０の上記横架材２−１，２−２を支持する部分では、合板１３に横架材２の寸法と対応する切り欠き１３ｂが設けられ、横架材２―１，２−２がのラーメン枠１０，２０と直角方向に交差するように支持されている。
これらの横架材２−１，２−２は、図７に示すように上面がラーメン枠１０，２０の上面つまり上梁１１の上面と高さが一致するように設けられている。したがって、これらに架け渡された根太５１及びラーメン梁１１とともに床組を形成しており、これらの上に床板を架け渡して二階部分の床とすることができる。
一方、上記横架材２の上に二階部分の軸柱１ａが立設され、張り出し梁１５の先端部から立ち上げられた柱１ｂとともに二階部分の構造躯体を構成している。
【００２６】
なお、ラーメン枠の両側に当接して設けられた軸柱１−１，１−２、１−３，１−４は、一階部分から二階部分に連続する通し柱とすることもできる。この場合には、ラーメン枠の軸線を含む面と直角方向の横架材は、通し柱の側面に端面を突き当てるようにして接合される。
【００２７】
このような木造建築物では、門型となった第１のラーメン枠１０の内側を開口とすることができるとともに、第２のラーメン枠２０の下側に及ぶ大きな空間を確保することができる。したがって、この部分を店舗や車庫として利用することができる。
また、張り出し梁１５に鉛直荷重が作用したときには、第１のラーメン枠１０に大きな下向きの力が作用するともに、第２のラーメン枠２０には揚力が作用する。これらの力はのラーメン梁４つまり上梁１１と下梁１２と合板１３とが一体に固定された部材に作用するが、ラーメン梁４が大きな曲げ剛性を有するものとなっていること及びラーメン梁４とラーメン柱３とが曲げモーメントに抵抗できるように接合されていることにより、ラーメン梁３のたわみは小さく抑えられる。また、これにともない、変形が徐々に進行するクリープ変形も少なくすることができる。
【００２８】
一方、地震時等においてラーメン枠１０，２０の軸線を含む方向の大きな水平力、つまり図１に示すＸ方向に大きな水平力が作用しても、ラーメン枠１０，２０がこれに抵抗し、大きな開口が設けられていても大きな耐震性を有するものとなる。
【００２９】
なお、上記実施の形態では、下層階の外壁面より上層階が張り出した木造建築物について説明したが、張り出し梁１５で支持される部分がベランダ等であっても良い。また、上記のようなラーメン枠は、張り出したベランダが設けられる部分や、上層階が下層階の外壁面より張り出した部分以外にも設けることができる。例えば、図１中に示すように、他のラーメン枠６０をＹ方向に設けることによって、Ｙ方向の水平力に対してもラーメン枠で抵抗することができる。つまり、Ｘ方向及びＹ方向に適宜にラーメン枠を軸組構造に組み込んで設けることにより、充分な耐震性を有する躯体構造とすることができる。
【００３０】
さらに、上記ラーメン枠１０，２０は２つの軸柱１の間に建て込まれ、横架材２との接合は軸柱１を介して行われるのでラーメン枠１０，２０を組み込んでも横架材等との接合には従来の軸組構造で用いられている接合構造をそのまま用いることができる。したがって、ラーメン枠を組み込んでも容易に構造躯体を構築することができる。また、ラーメン枠として大きな部材を用いる部分は、限定的とすることができ、構築コストが過大になるのを抑えることができる。
【００３１】
以上に説明した木造建築物の構築は、次のように行うことができる。
あらかじめ工場等においてラーメン柱３と軸柱１とを一体に結合し、ラーメン梁４との接合金具１４を取り付けておく。これらの柱を現場において所定の位置に設けられた柱支持金具４０上に立設する。その後、下梁１２及び上梁１１の順で接合し、これらの梁１１，１２と柱３とに連続するように合板１３を固定し、ラーメン枠を形成する。そして、張り出し梁１５を組み込んで固定するとともに、他の軸組み構造を構成する部材と接合する。
また、ラーメン柱３と上梁１１及び下梁１２とをあらかじめ接合し、さらに合板１３を固定してラーメン枠１０，２０の両側に接合する軸柱１も一体に組み立てておいても良い。構築現場では、他の軸柱を立設するとともに、上記のように組み立てられたラーメン枠をクレーン等によって吊り上げて、所定の位置に据え付ける。そして、張り出し梁１５を組み込むとともに、他の軸組構造を構成する部材と接合する。
【図面の簡単な説明】
【００３２】
【図１】本願に係る発明の一実施形態である木造建築物の構造躯体を示す概略斜視図である。
【図２】図１に示す構造躯体で用いられているラーメン枠を示す概略斜視図である。
【図３】図２に示すラーメン枠のラーメン柱とラーメン梁を構成する上梁又は下梁との接続構造を示す分解斜視図である。
【図４】図２に示すラーメン枠のラーメン柱とラーメン梁を構成する上梁及び下梁とに合板を取り付けた状態を示す正面図である。
【図５】図２に示すラーメン枠を用いて張り出し梁を支持した構造を示す概略斜視図である。
【図６】図２に示すラーメン枠のラーメン柱及びこのラーメン柱に当接された軸柱の下端部の支持構造を示す正面図及び側面図である。
【図７】図２に示されるラーメン枠及びこの周辺部の軸組構造の構成例を示す概略斜視図である。
【図８】従来の木造建築物における外壁より張り出した部分の構造例を示す概略断面図である。
【図９】従来の木造建築物における外壁より張り出した部分の他の構造例を示す概略断面図である。
【符号の説明】
【００３３】
１：軸柱、    ２：横架材、    ３：ラーメン柱、    ４：ラーメン梁、    ５：基礎、
１０、２０，６０：ラーメン枠、
１１：上梁、    １２：下梁、    １３：合板（板材）、    １４：接合金具、    １５：張り出し梁、    １６：桁、
２１：取付基部、    ２２：梁接合部、    ２３：ラーメン梁のボルト孔、    ２４：軸柱のボルト孔、    ２５：ボルト、    ２６：梁接合部に設けられた孔、    ２７：切り欠き部、    ２８：ドリフトピン、    ２９：スリット、    ３０：横穴、
３１：ビス、
４０：柱支持金具、    ４１：底板、    ４２：上面板、    ４３：鉛直板、    ４４：接合板、    ４５：リブ、    ４６：アンカーボルト、    ４７：ドリフトピン、    ４８：接合板に設けられた孔、    ４９：ナット、    ５０：横孔、    ５１：根太
【図１】
2008255711.tif 000003
【図２】
2008255711.tif 000004
【図３】
2008255711.tif 000005
【図４】
2008255711.tif 000006
【図５】
2008255711.tif 000007
【図６】
2008255711.tif 000008
【図７】
2008255711.tif 000009
【図８】
2008255711.tif 000010
【図９】
2008255711.tif 000011